(57)【特許請求の範囲】
【請求項１】
ソース装置がＰＣＰ（Ｐｅｒｓｏｎａｌ  Ｂａｓｉｃ  ｓｅｒｖｉｃｅ  ｓｅｔ  ｃｅｎｔｒａｌ  ｐｏｉｎｔ）またはＡＰ（Ａｃｃｅｓｓ  ｐｏｉｎｔ）にリレイ検索を要求するリレイ検索要求メッセージを送信するステップと、
前記ＰＣＰまたはＡＰからサービス可能な前記リレイ装置のリストを含むリレイ検索応答メッセージを受信するステップと、
前記ソース装置と前記リレイ装置との間のチャネル状態及び前記目的地装置と前記リレイ装置との間のチャネル状態を確認し、前記ソース装置と前記目的地装置との間のリレイとして動作するリレイ装置を選択するステップと、
前記選択されたリレイ装置にリレイリンク設定要求メッセージを送信し、前記選択されたリレイ装置を通したリレイリンクを設定するステップと、
を含むことを特徴とする広帯域近距離の無線通信方法。
【請求項２】
前記リレイとして動作するリレイ装置を選択するステップは、
前記リレイ装置それぞれと前記ソース装置との間のビーム形成過程を行うステップと、  前記ソース装置でチャネル測定要求メッセージを前記リレイ装置のそれぞれに送信し、前記リレイ装置それぞれから前記リレイ装置それぞれと前記ソース装置とのチャネル測定情報を含むチャネル測定応答メッセージを受信し、前記リレイ装置それぞれから受信されたチャネル測定応答メッセージを介して前記ソース装置と前記リレイ装置との間のチャネル状態を確認するステップと、
前記ソース装置と前記目的地装置との間のビーム形成過程を行うステップと、
前記ソース装置でチャネル測定要求メッセージを前記目的地装置に送信し、前記目的地装置から前記リレイ装置それぞれと前記目的地装置とのチャネル測定情報を含むチャネル測定応答メッセージを受信し、前記目的地装置から受信されたチャネル測定応答メッセージを介して前記リレイ装置それぞれと前記目的地装置とのチャネル状態を確認するステップと、
を含むことを特徴とする請求項１に記載の広帯域近距離の無線通信方法。
【請求項３】
前記リレイリンクを設定するステップは、
前記ソース装置から前記選択されたリレイ装置にリレイリンク設定要求メッセージを送信するステップと、
前記選択されたリレイ装置からリレイリンク設定応答メッセージを受信するステップと、
前記リレイリンク設定応答メッセージを介して前記選択されたリレイ装置と前記目的地装置が全て前記リレイリンクに参加すると確認されれば、前記選択されたリレイ装置を用いる前記リレイリンクが設定されたことを通知するリレイリンク設定通知メッセージをＰＣＰまたはＡＰに送信するステップと、
を含み、
前記選択されたリレイ装置から受信されたリンク設定応答メッセージは、前記目的地装置のリレイリンク参加有無及び前記選択されたリレイ装置のリレイリンク参加有無を含むことを特徴とする請求項１に記載の広帯域近距離の無線通信方法。
【請求項４】
前記選択されたリレイ装置のリレイ動作モードが協力モードとして決定されれば、前記ソース装置から前記目的地装置に送信されるフレームと前記リレイ装置から前記目的地装置に送信されるフレームが同時に前記目的地装置に到達するように、フレームを送信する送信時点を調節するステップをさらに含むことを特徴とする請求項１に記載の広帯域近距離の無線通信方法。
【発明の詳細な説明】
【技術分野】
【０００１】
本発明は、無線近距離通信網システムでリレイリンクを設定してリレイを送受信するために使用する無線通信方法及び装置に関する。
【背景技術】
【０００２】
無線近距離通信網（ＷＬＡＮ：Ｗｉｒｅｌｅｓｓ  Ｌｏｃａｌ  Ａｒｅａ  Ｎｅｔｗｏｒｋ）環境で、データフレームの送信はＰＣＰ（Ｐｅｒｓｏｎａｌ  Ｂａｓｉｃ  ｓｅｒｖｉｃｅ  ｓｅｔ  ｃｅｎｔｒａｌ  ｐｏｉｎｔ）／ＡＰ（Ａｃｃｅｓｓ  ｐｏｉｎｔ）（以下、便宜性のためにＡＰと称する）を経由して送信したり、ピアツーピア（ｐｅｅｒ−ｔｏ−ｐｅｅｒ）で直接送信することができる。しかし、一般的にＡＰへのアップリンクとダウンリンクを用いる送信は、ネットワーク内の他の機器（ＳＴＡ：ｓｔａｔｉｏｎ）とチャネル取得のために競争しなければならないため処理量が減少することがあった。これを補完するために８０２．１１ｅでは、ＳＴＡ間に直接リンク設定（ＤＬＳ；Ｄｉｒｅｃｔ  Ｌｉｎｋ  Ｓｅｔｕｐ）モードによってＡＰを経由しないで直接フレームを送信することでチャネルの使用効率を２倍以上高めるようにしている。しかし、ＤＬＳでもネットワークに存在する多重経路、減衰、干渉などによってチャネル状態が悪化すれば、無線ネットワーク処理量が低下し、マルチメディアストリーミングのようにＱｏＳが必要な場合はこれを満足させることができない問題がある。
【０００３】
マルチメディアストリーミングのようにＱｏＳが必要な場合、特に６０ＧＨｚ帯域のようなミリメートル波でより目立つ。ミリメートル波通信は、約１．８ＧＨｚ帯域幅を用いて数Ｇｂｐｓのデータを高い変調（ｈｉｇｈ  ｍｏｄｕｌａｔｉｏｎ）を行わずに容易に送信できる一方、高周波の特性上、直進性が強く電力損失の大きい短所がある。したがって、これを補完するために指向性アンテナを用いて電力を全方向ではない特定方向に集めて高いアンテナ利益（ｈｉｇｈ  ａｎｔｅｎｎａ  ｇａｉｎ）を取得する方法を用いる。しかし、可視距離（ｌｉｎｅ−ｏｆ−ｓｉｇｈｔ）が確保されなければ信号を反射させて伝達しなければならず、そのような場合に距離が長くなって減衰損失が増加するため反射による損失が発生する。また、人によって可視距離が遮断された場合、貫通損失（ｐｅｎｅｔｒａｔｉｏｎ  ｌｏｓｓ）が２０ｄＢ以上であり、普通、室内に存在する扉や壁は損失がより大きくて信号が到達されない。
【０００４】
したがって、このようにＤＬＳだけでは充分でない場合にリレイを用いる迂回リンクと、ソースと目的地の直接リンクを全て用いることによって通信到達の距離を拡大したり、直接リンクがブロックされても途切れのない通信を可能にする方法が求められている。
【発明の概要】
【発明が解決しようとする課題】
【０００５】
本発明の実施形態は、無線近距離通信網システムでリレイを送受信するために用いる無線通信方法を提供する。
【０００６】
本発明の実施形態は、無線近距離通信網システムでリレイリンクを設定する方法を提供する。
【０００７】
本発明の実施形態は、無線近距離通信網システムでリレイリンクを設定した後リレイの動作モードが協力モードである場合、ソース装置でデータフレームを送信する送信時点を設定する方法を提供する。
【課題を解決するための手段】
【０００８】
本発明の実施形態にかかる無線近距離通信網システムにおいてリレイを送受信するために用いる広帯域近距離の無線通信方法は、ソース装置がＰＣＰ（Ｐｅｒｓｏｎａｌ  Ｂａｓｉｃ  ｓｅｒｖｉｃｅ  ｓｅｔ  ｃｅｎｔｒａｌ  ｐｏｉｎｔ）またはＡＰ（Ａｃｃｅｓｓ  ｐｏｉｎｔ）にリレイ検索を要求するリレイ検索要求メッセージを送信するステップと、前記ＰＣＰまたはＡＰからサービス可能な前記リレイ装置のリストを含むリレイ検索応答メッセージを受信するステップと、  前記ソース装置と前記リレイ装置との間のチャネル状態及び前記目的地装置と前記リレイ装置との間のチャネル状態を確認し、前記ソース装置と前記目的地装置との間のリレイとして動作するリレイ装置を選択するステップと、前記選択されたリレイ装置にリレイリンク設定要求メッセージを送信し、前記選択されたリレイ装置を通したリレイリンクを設定するステップと、を含む。
【発明の効果】
【００１２】
本発明によると、リレイを通したリレイリンクを設定し、設定したリレイの動作モードが協力モードである場合に装置間の電波遅延などを把握し、ソース装置でデータフレームを送信する送信時点を設定して無線通信する方法に関し、リレイ装置を用いる迂回リンクとソース装置と目的地装置の直接リンクを全て用いることによって通信到達距離を拡大し、直接リンクがブロックされても途切れのない通信を可能にし、チャネル状態に応じてリレイを通した協力モードをサポートすることで処理率を高めることができる。
【図面の簡単な説明】
【００１３】
【図１】本発明の実施形態に係るリレイを送受信するために用いる無線近距離通信網システムの概略的な構成を示す図である。
【図２】本発明の実施形態に係る無線近距離通信網システムでサービス可能なリレイ装置を検索する手続を示す図である。
【図３】本発明の実施形態に係る無線近距離通信網システムでリレイリンクで用いるリレイ装置を選択する手続を示す図である。
【図４】本発明の実施形態に係る無線近距離通信網システムで選択されたリレイ装置を介してリレイリンクを設定する手続を示す図である。
【図５】本発明の実施形態に係る無線近距離通信網システムでリレイの動作モードが協力モードである場合、送信時点を設定する手続を示す図である。
【図６】本発明の実施形態に係る無線近距離通信網システムのソース装置でリレイリンクを設定する過程を示すフローチャートである。
【図７】本発明の実施形態に係る無線近距離通信網システムのリレイ装置でリレイリンクを設定する過程を示すフローチャートである。
【図８】本発明の実施形態に係る無線近距離通信網システムの目的地装置でリレイリンクを設定する過程を示すフローチャートである。
【図９】本発明の実施形態に係る無線近距離通信網システムのソース装置でリレイの動作モードが協力モードである場合、送信時点を設定する過程を示すフローチャートである。
【図１０】本発明の実施形態に係る無線近距離通信網システムのリレイ装置でリレイの動作モードが協力モードである場合、送信時点を設定するための過程を示すフローチャートである。
【図１１】本発明の実施形態に係る無線近距離通信網システムのソース装置でリレイの動作モードが協力モードである場合、送信時点を設定する過程を示すフローチャートである。
【図１２】本発明の実施形態に係る無線近距離通信網システムでリレイを用いてデータを送信するソース装置の構成を示す図である。
【図１３】本発明の実施形態に係る無線近距離通信網システムでソース装置と目的地装置間のデータを中継するリレイ装置の構成を示す図である。
【図１４】本発明の実施形態に係る無線近距離通信網システムでリレイを用いてデータを受信する目的地装置の構成を示す図である。
【発明を実施するための形態】
【００１４】
以下、本発明の実施形態を添付する図面を参照しながら詳細に説明する。
【００１５】
本発明の実施形態は、無線近距離通信網システムでリレイを送受信に使用するためにリレイリンクを設定し、設定したリレイの動作モードが協力モードである場合にソース装置でデータフレームを送信する送信時点を設定して無線通信する方法に関する。
【００１６】
図１は、本発明の実施形態に係るリレイを送受信するために用いる無線近距離通信網システムの概略的な構成を示す図である。
【００１７】
図１を参照すれば、無線近距離通信網システムは、ＰＣＰ（Ｐｅｒｓｏｎａｌ  Ｂａｓｉｃ  ｓｅｒｖｉｃｅ  ｓｅｔ  ｃｅｎｔｒａｌ  ｐｏｉｎｔ）／ＡＰ（Ａｃｃｅｓｓ  ｐｏｉｎｔ）（以下、便宜性のためにＡＰと称する）１２０と少なくとも１つの装置（ソース装置１１０、リレイ装置１３０、１３１、１３２、目的地装置１４０）から構成される。ここで、ＰＣＰ／ＡＰ１２０は、ＰＣＰまたはＡＰのうち１つであってもよく、ＰＣＰワＡＰが結合された装置であってもよい。
【００１８】
ソース装置１１０、リレイ装置１３０、１３１、１３２または目的地装置１４０が無線近距離通信網にジョイン（ｊｏｉｎ）すれば、ＡＰ１２０にＡｓｓｏｃｉａｔｉｏｎ  Ｒｅｑｕｅｓｔフレームを送信し、ＡＰ１２０からＡｓｓｏｃｉａｔｉｏｎ  Ｒｅｓｐｏｎｓｅフレームを受信しなければならない。
【００１９】
その後、ソース装置１１０は、リレイ装置１３０、１３１、１３２及び目的地装置１４０とのリレイリンク設定によってリレイ装置１３０を選択し、選択されたリレイ装置１３０を用いてデータフレームを送信する。
【００２０】
ソース装置は、目的地装置とリレイリンク設定の過程を行う前に目的地装置のリレイ性能情報（ｃａｐａｂｉｌｉｔｙ  ｅｌｅｍｅｎｔ）を取得しなければならない。リレイ性能情報はＡＰから受信してもよく、目的地装置から受信してもよい。ここで、リレイ性能情報は、リレイ使用の有無、リレイへの動作の有無、リレイ使用許可、電源有無、移動性、リレイ選好度、リレイでのデュプレックス（ｄｕｐｌｅｘ）情報及びリレイ動作の類型などを含んでもよい。
【００２１】
もし、ソース装置と目的地装置がリレイ装置を利用できる能力があれば、リレイリンクを設定する過程を行う。無線近距離通信網システムでリレイリンクを設定する過程について図２から図４を参照して説明することにする。
【００２２】
図２は、本発明の実施形態に係る無線近距離通信網システムでサービス可能なリレイ装置を検索する手続を示す図である。
【００２３】
図２を参照すると、まず、ソース装置１１０は、Ｒｅｌａｙ  Ｄｉｓｃｏｖｅｒｙ  Ｐｒｏｃｅｄｕｒｅｓによって基本サービスセット（Ｂａｓｉｃ  Ｓｅｒｖｉｃｅ  Ｓｅｔ）内のリレイ装置のリストを探索する。ここで、基本サービスセットとは、１つのＰＣＰ（Ｐｅｒｓｏｎａｌ  Ｂａｓｉｃ  ｓｅｒｖｉｃｅ  ｓｅｔ  ｃｅｎｔｒａｌ  ｐｏｉｎｔ）／ＡＰ（Ａｃｃｅｓｓ  ｐｏｉｎｔ）と少なくとも１つのステーション（ｓｔａｔｉｏｎ）で構成されるネットワーク単位である。ここで、ステーションは、ソース装置、リレイ装置及び目的地装置であってもよい。
【００２４】
より具体的に、ソース装置１１０は、ステップＳ２１０において、ＰＣＰ／ＡＰ１２０でリレイ検索を要求するリレイ検索要求メッセージ（ｒｅｌａｙ  ｓｅａｒｃｈ  ｒｅｑｕｅｓｔ  ｆｒａｍｅ）を送信する。
【００２５】
ＰＣＰ／ＡＰ１２０は、ステップＳ２１２において、ＢＳＳ（Ｂａｓｉｃ  Ｓｅｒｖｉｃｅ  Ｓｅｔ）に含まれたサービス可能なリレイ装置１３０、１３１、１３２のリストを検索し、リレイ装置のリストを含むリレイ検索応答メッセージ（ｒｅｌａｙ  ｓｅａｒｃｈ  ｒｅｓｐｏｎｓｅ  ｆｒａｍｅ）をソース装置１１０に送信する。
【００２６】
そして、ＰＣＰ／ＡＰ１２０は、ステップＳ２１４において、リレイ装置１３０、１３１、１３２のリストとソース装置１１０のリレイ性能情報を含む自発的リレイ検索応答メッセージ（ｕｎｓｏｌｉｃｉｔｅｄ  ｒｅｌａｙ  ｓｅａｒｃｈ  ｒｅｓｐｏｎｓｅ  ｆｒａｍｅ）を目的地装置１４０に送信する。
【００２７】
無線近距離通信網システムは、リレイ装置を検索した後にリレイ装置１３０を選択する。
【００２８】
図３は、本発明の実施形態に係る無線近距離通信網システムでリレイリンクで用いるリレイ装置を選択する手続を示す図である。
【００２９】
図３を参照すると、ＰＣＰ／ＡＰ１２０は、ステップＳ３１０において、リレイ装置１３０、１３１、１３２それぞれのＳＰ（Ｓｅｒｖｉｃｅ  Ｐｅｒｉｏｄ）リソース割当情報をソース装置１１０と目的地装置１４０に送信する。
【００３０】
そして、ＳＰリソース割当情報を受信したソース装置１１０は、ステップＳ３１２において、リレイ装置１３０、１３１、１３２それぞれとのビーム形成の過程を行う。周知のように、ビーム形成は今後の（ｓｕｂｓｅｑｕｅｎｔ）通信のために必要なミリメートル波リンクバジェット（ｔｈｅ  ｎｅｃｅｓｓａｒｙ  ｍｉｌｌｉｍｅｔｅｒ−ｗａｖｅ  ｌｉｎｋ  ｂｕｄｇｅｔ）を行うための、一対のデバイスによって行われるメカニズムである。したがって、ＰＣＰ／ＡＰ１２０から割り当てられるＳＰは、ソース装置１１０とリレイ装置それぞれとのビーム形成過程が完了される区間（ｄｕｒａｔｉｏｎ）が割り当てられなければならない。また、ＳＰは、目的地装置１４０とリレイ装置それぞれとのビーム形成が完了される区間が割り当てられなければならない。同様に、ＳＰは、ソース装置１１０と目的地装置１４０との間のビーム形成が完了される区間が割り当てられなければならない。
【００３１】
そして、目的地装置１４０は、ステップＳ３１４において、リレイ装置１３０、１３１、１３２それぞれとのビーム形成過程を行う。
【００３２】
ソース装置１１０は、ステップＳ３１６において、チャネル測定要求メッセージ（ｍｕｌｔｉ−ｒｅｌａｙｓ  ｃｈａｎｎｅｌ  ｍｅａｓｕｒｅｍｅｎｔ  ｒｅｑｕｅｓｔ  ｆｒａｍｅ）をリレイ装置１３０、１３１、１３２のそれぞれに送信する。そして、ソース装置１１０は、ステップＳ３１８において、リレイ装置１３０、１３１、１３２それぞれからソース装置１１０とのチャネル状態（該当リンクのチャネル品質情報、方向情報などとして、以下はチャネル状態と称する）を示すチャネル測定情報含むチャネル測定応答メッセージ（ｍｕｌｔｉ−ｒｅｌａｙｓ  ｃｈａｎｎｅｌ  ｍｅａｓｕｒｅｍｅｎｔ  ｒｅｓｐｏｎｓｅ  ｆｒａｍｅ）を受信してソース装置１１０とリレイ装置１３０、１３１、１３２との間のチャネル状態を確認する。すなわち、ソース装置１１０がチャネル応答メッセージを受信してチャネル状態を確認する過程は、基本サービスセット内のリレイ装置１３０、１３１、１３２それぞれに対して繰り返し行われる。
【００３３】
ソース装置１１０は、ステップＳ３２０において、目的地装置１４０間のビーム形成過程を行う。
【００３４】
ソース装置１１０は、ステップＳ３２２において、チャネル測定要求メッセージを目的地装置１４０に送信する。そして、ソース装置１１０は、ステップＳ３２４において、目的地装置１４０からソース装置１１０と目的地装置１４０との間のチャネル状態及びリレイ装置１３０、１３１、１３２と目的地装置１４０と間のチャネル状態を含むチャネル測定応答メッセージを受信する。
【００３５】
その後、ソース装置はソース装置１１０とリレイ装置１３０、１３１、１３２のとの間のチャネル状態、ソース装置１１０と目的地装置１４０との間のチャネル状態、リレイ装置１３０、１３１、１３２と目的地装置１４０との間のチャネル状態、及びリレイ装置１３０、１３１、１３２それぞれのリレイ性能情報を用いるリレイ装置１３０を選択する。
【００３６】
図４は、本発明の実施形態に係る無線近距離通信網システムで選択されたリレイ装置を介してリレイリンクを設定する手続を示す図である。
【００３７】
図４を参照すると、ソース装置１１０は、ステップＳ４１０において、選択されたリレイ装置１３０にリレイリンク設定を要求するリレイリンク設定要求メッセージ（Ｒｅｌａｙ  Ｌｉｎｋ  Ｓｅｔｕｐ  ｒｅｑｕｅｓｔ  ｆｒａｍｅ）を送信する。ここで、リレイリンク設定要求メッセージは、ソース装置１１０、目的地装置１４０及び選択されたリレイ装置１３０それぞれのリレイ性能情報とリレイ送信パラメータ情報を含んでもよい。そして、リレイ送信パラメータ情報は、リレイ動作類型情報、リレイのデュプレックス送信モード情報、及びその他のデータフレーム送信及び受信に必要な情報を含む。
【００３８】
選択されたリレイ装置１３０はリレイリンク設定要求メッセージを受信すれば、ステップＳ４１２において、リレイリンク設定要求メッセージを目的地装置１４０に送信する。
【００３９】
目的地装置１４０は、選択されたリレイ装置１３０からリレイリンク設定要求メッセージを受信すれば、ステップＳ４１４において、目的地装置１４０の参加有無を含むリレイリンク設定応答メッセージ（Ｒｅｌａｙ  Ｌｉｎｋ  Ｓｅｔｕｐ  ｒｅｓｐｏｎｓｅ  ｆｒａｍｅ）を選択されたリレイ装置１３０に送信する。
【００４０】
選択されたリレイ装置１３０は、ステップＳ４１４において、リレイリンク設定応答メッセージを受信すれば、リレイリンク設定応答メッセージに選択されたリレイ装置１３０の参加有無を含んでソース装置１１０に送信する。
【００４１】
ソース装置１１０は、ステップＳ４１６において、選択されたリレイ装置１３０からリレイリンク設定応答メッセージを受信する。
【００４２】
そして、ソース装置１１０は、リレイリンク設定応答メッセージを確認して選択されたリレイ装置１３０と目的地装置１４０がリレイリンクに全て参加する場合、ステップＳ４１８において、選択されたリレイ装置１３０を用いるリレイリンクが設定されたことを通知するリレイリンク設定通知メッセージ（Ｒｅｌａｙ  Ｌｉｎｋ  Ｓｅｔｕｐ  ａｎｎｏｕｎｃｅｍｅｎｔ  ｆｒａｍｅ）をＰＣＰ／ＡＰ１２０に送信する。
【００４３】
図５は、本発明の実施形態に係る無線近距離通信網システムでリレイの動作モードが協力モードである場合、フレームの送信時点を設定する手続を示す図である。
【００４４】
図５を参照すると、ソース装置１１０は、リレイの動作モードのスイッチングモードと協力モードのうち効率がより優れるモード、またはユーザが選択したモードをリレイの動作モードとして決定する。ここで、スイッチングモードは、データを送信するときリレイを介して送信するか否かをスイッチングによって決定するモードである。そして、協力モードは、リレイを介して送信されるデータとリレイを介さずに送信されるデータが目的地装置に同時に到着するよう送信するモードである。
【００４５】
そして、リレイの動作モードが協力モードとして決定されれば、ソース装置１１０は、ステップＳ５１０において、リレイの動作モードが協力モードに決定されたことを通知する動作モード通知メッセージを選択されたリレイ装置１３０と目的地装置１４０に送信する。
【００４６】
目的地装置１４０は動作モード通知メッセージを受信すれば、ステップＳ５１２において、選択されたリレイ装置１３０とソース装置１１０に測定要求メッセージを送信する。ここで、測定要求メッセージは、タイミングオフセットとサンプリングオフセットが全て０と設定されたＴＰＡ（Ａｄｊｕｓｔｍｅｎｔ  ｒｅｑｕｅｓｔ）ｒｅｑｕｅｓｔ  ｆｒａｍｅであってもよい。
【００４７】
選択されたリレイ装置１３０とソース装置１１０それぞれは測定要求メッセージを受信すれば、ステップＳ５１４において、それぞれ予め設定された時間に測定応答メッセージを送信する。ここで、第１測定応答メッセージを送信する予め設定された時間は、選択されたリレイ装置１３０とソース装置１１０が互いに異なって測定要求メッセージに含まれてもよい。ここで、測定応答メッセージは、ＴＰＡ（Ａｄｊｕｓｔｍｅｎｔ  ｒｅｑｕｅｓｔ）ｒｅｓｐｏｎｓｅ  ｆｒａｍｅであってもよい。
【００４８】
目的地装置１４０は、ソース装置１１０から受信する測定応答メッセージを用いてソース装置１１０と目的地装置１４０との間のタイミングオフセットとサンプリングオフセットを推定する。そして、目的地装置１４０は、選択されたリレイ装置１３０から受信する測定応答メッセージを用いて選択されたリレイ装置１３０と目的地装置１４０との間のタイミングオフセットとサンプリングオフセットを推定する。ここで、タイミングオフセットは電波が伝達されながら遅延される電波遅延時間であり、サンプリングオフセットは装置内部のクロック誤差などで発生する誤差である。
【００４９】
目的地装置１４０は、ステップＳ５１６において、タイミングオフセット及びサンプリングオフセットが含まれた測定結果メッセージを選択されたリレイ装置１３０とソース装置１１０に送信する。
【００５０】
ステップＳ５１６において、目的地装置１４０は、リレイ装置とソース装から推定されたオフセットの相対的な差情報をリレイ装置１３０に送信する。ここで、測定結果メッセージは、推定したタイミングオフセットと推定したサンプリングオフセット（または、リレイ装置とソース装置から推定されたオフセットの相対的な差）を含むＴＰＡ（Ａｄｊｕｓｔｍｅｎｔ  ｒｅｑｕｅｓｔ）ｒｅｑｕｅｓｔ  ｆｒａｍｅであってもよい。
【００５１】
一方、送信時点を調節するプロシージャは、予め設定された回数だけ繰り返して行われてもよい。ここで、目的地装置１４０は、送信時点調節プロシージャの成功の有無を示すリポートフレームをソース装置に送信する。すなわち、目的地装置１４０は送信時点調節要求フレームをリレイ装置に送信し、リレイ装置から送信時点調節要求フレームに対する応答フレームである送信時点調節応答フレームを受信する。ここで、送信時点調節要求フレームのタイミングオフセットはｄＴＤＳ−ｄＴＤＲに設定される。目的地装置１４０は、送信時点調節応答フレームを受信すると、送信時点調節応答フレームの実際到達時間（ａｃｔｕａｌ  ａｒｒｉｖａｌ  ｔｉｍｅ）と予め設定された遅延時間との時間偏差（ｔｉｍｅ  ｄｅｖｉａｔｉｏｎ）を推定する。予め設定された遅延時間はＳＢＩＦＳ（Ｓｈｏｒｔ  Ｂｅａｍｆｏｒｍｉｎｇ  Ｉｎｔｅｒ  Ｆｒａｍｅ  Ｓｐａｃｅ）＋送信時点調節要求フレームの長さである。広帯域近距離無線通信システムにおいて、２つのフレームはＳＢＩＦＳによって分離されてもよく、ＳＢＩＦＳの区間（ｄｕｒａｔｉｏｎ）は物理階層の特性に応じて決定されてもよい。目的地装置１４０は、時間偏差が２×ｄＴＤＲ＋（ｄＴＤＳ−ｄＴＤＲ）であれば、送信時点調節プロシージャが成功したと決定する。ここで、ｄＴＤＲは目的地装置１４０からリレイ装置への電波遅延（ｐｒｏｐａｇａｔｉｏｎ  ｄｅｌａｙ）、ｄＴＤＳは目的地装置１４０からソース装置への電波遅延を示す。
【００５２】
選択されたリレイ装置１３０とソース装置１１０のそれぞれは測定結果メッセージを受信すると、ステップＳ５１８において、測定結果メッセージを受信したことを通知する測定結果応答メッセージを目的地装置１４０に送信する。ここで、測定結果応答メッセージは、ＴＰＡ（Ａｄｊｕｓｔｍｅｎｔ  ｒｅｑｕｅｓｔ）ｒｅｓｐｏｎｓｅ  ｆｒａｍｅであってもよい。
【００５３】
そして、ソース装置１１０は、ステップＳ５２０において、測定要求メッセージを選択されたリレイ装置１３０に送信する。
【００５４】
選択されたリレイ装置１３０は測定要求メッセージを受信すると、ステップＳ５２２において、予め設定された時間に測定応答メッセージをソース装置１１０に送信する。
【００５５】
ソース装置１１０は、選択されたリレイ装置１３０から測定応答メッセージを受信すれば、ソース装置１１０と選択されたリレイ装置１３０との間のタイミングオフセットとサンプリングオフセットを推定する。
【００５６】
そして、ソース装置１１０は、各装置間のタイミングオフセットとサンプリングオフセットを用いてソース装置１１０から目的地装置１４０に送信されるフレーム＃１と、リレイ装置１３０から目的地装置１４０に送信されるフレーム＃２が同時に目的地装置１４０に到達するようフレームの送信時点を調節する。リレイの動作モードが協力モードであるため、フレーム＃１とフレーム＃２は同一のデータを含むフレームである。
【００５７】
図６は、本発明の実施形態に係る無線近距離通信網システムのソース装置でリレイリンクを設定する過程を示すフローチャートである。
【００５８】
図６を参照すると、ソース装置１１０は、ステップＳ６１０において、目的地装置１４０のリレイ性能情報を取得する。目的地装置１４０のリレイ性能情報はＰＣＰ／ＡＰ１２０から受信してもよく、目的地装置１４０から受信してもよい。ここで、リレイ性能情報は、リレイ使用の有無、リレイへの動作の有無、リレイ使用許可、電源有無、移動性、リレイ選好度、リレイでのデュプレックス情報、及びリレイ動作類型などを含む。
【００５９】
そして、ソース装置１１０は、ステップＳ６１２において、ＰＣＰ／ＡＰ１２０を介してサービス可能なリレイ装置１３０、１３１、１３２を検索する。ステップＳ６１２についてより詳細に説明すると、ソース装置１１０はＰＣＰ／ＡＰ１２０にリレイ検索を要求するリレイ検索要求メッセージを送信し、ＰＣＰ／ＡＰ１２０からＢＳＳ（Ｂａｓｉｃ  Ｓｅｒｖｉｃｅ  Ｓｅｔ）に含まれたサービス可能なリレイ装置のリストを含むリレイ検索応答メッセージの受信によって検索することができる。
【００６０】
そして、ソース装置１１０は、ステップＳ６１４において、ＰＣＰ／ＡＰ１２０からリレイ装置１３０、１３１、１３２それぞれのＳＰリソース割当情報を受信する。
【００６１】
そして、ソース装置１１０は、ステップＳ６１６において、リレイ装置１３０、１３１、１３２それぞれとビーム形成過程を行う。
【００６２】
そして、ソース装置１１０は、ステップＳ６１８において、リレイ装置１３０、１３１、１３２それぞれからソース装置１１０とのチャネル状態を取得する。ステップＳ６１８についてより詳細に説明すると、ソース装置１１０は、チャネル測定要求メッセージをリレイ装置１３０、１３１、１３２それぞれに送信し、リレイ装置１３０、１３１、１３２それぞれからソース装置１１０とのチャネル状態を含むチャネル測定応答メッセージを受信してチャネル状態を確認する。
【００６３】
そして、ソース装置１１０は、ステップＳ６２０において、目的地装置１４０とビーム形成過程を行う。
【００６４】
そして、ソース装置１１０は、ステップＳ６２２において、目的地装置１４０からソース装置１１０と目的地装置１４０との間のチャネル状態及びリレイ装置と目的地装置１４０との間のチャネル状態を取得する。ステップＳ６２２についてより詳細に説明すると、ソース装置１１０はチャネル測定要求メッセージを目的地装置１４０に送信し、目的地装置１４０からソース装置１１０と目的地装置１４０との間のチャネル状態、及びリレイ装置と目的地装置１４０との間のチャネル状態を含むチャネル測定応答メッセージを受信してチャネル状態を確認する。
【００６５】
そして、ソース装置１１０は、ステップＳ６２４において、ソース装置１１０とリレイ装置１３０、１３１、１３２との間のチャネル状態、ソース装置１１０と目的地装置１４０との間のチャネル状態、リレイ装置１３０、１３１、１３２と目的地装置１４０との間のチャネル状態、及びリレイ装置１３０、１３１、１３２それぞれのリレイ性能情報を用いるリレイ装置１３０を選択する。ここで、リレイに用いる装置の選択は、実現環境に応じて決定（ｉｍｐｌｅｍｅｎｔａｔｉｏｎ−ｄｅｐｅｎｄｅｎｔ）される。
【００６６】
そして、ステップＳ６２６において、ソース装置１１０は、選択されたリレイ装置１３０と目的地装置１４０に選択されたリレイ装置１３０を通したリレイリンクの参加有無を要求して応答を受ける。
【００６７】
そして、ソース装置１１０は、ステップＳ６２８において、選択されたリレイ装置１３０と目的地装置１４０の応答結果の全てがリレイリンクに参加してリレイリンクが成功的に設定されたかを確認する。
【００６８】
ステップＳ６２８における確認の結果、リレイリンクが成功的に設定されれば、ソース装置１１０は、ステップＳ６３０においてリレイリンクが設定されたことを通知するリレイリンク設定通知メッセージをＰＣＰ／ＡＰ１２０に送信する。
【００６９】
図７は、本発明の実施形態に係る無線近距離通信網システムのリレイ装置でリレイリンクを設定する過程を示すフローチャートである。
【００７０】
図７を参照すれば、リレイ装置１３０は、ステップＳ７１０においてＰＣＰ／ＡＰ１２０からＳＰ（Ｓｅｒｖｉｃｅ  ｐｅｒｉｏｄ）リソース割当情報を受信する。
【００７１】
そして、リレイ装置１３０は、ステップＳ７１２において、ソース装置１１０と目的地装置１４０それぞれとビーム形成過程を行う。
【００７２】
そして、リレイ装置１３０は、ステップＳ７１４においてソース装置１１０からチャネル測定要求メッセージを受信すると、ステップＳ７１６においてソース装置１１０とのチャネル状態情報を含むチャネル測定報告メッセージをソース装置１１０に送信する。
【００７３】
そして、リレイ装置１３０は、ステップＳ７１８においてソース装置１１０からリレイリンク設定要求メッセージを受信すると、ステップＳ７２０においてリレイリンク設定要求メッセージを目的地装置１４０に送信する。
【００７４】
そして、リレイ装置１３０は、ステップＳ７２２において目的地装置１４０からリレイリンク設定応答メッセージを受信すると、ステップＳ７２４においてリレイリンク設定応答メッセージにリレイ装置１３０の参加有無を含んでソース装置１１０に送信する。
【００７５】
図８は、本発明の実施形態に係る無線近距離通信網システムの目的地装置でリレイリンクを設定する過程を示すフローチャートである。
【００７６】
図８を参照すると、目的地装置１４０は、ステップＳ８１０において、ＰＣＰ／ＡＰ１２０からリレイ装置のリストとソース装置１１０のリレイ性能情報を含む自発的リレイ検索応答メッセージを受信する。
【００７７】
そして、目的地装置１４０は、ステップＳ８１２において、ＰＣＰ／ＡＰ１２０からリレイ装置１３０、１３１、１３２それぞれのＳＰ（Ｓｅｒｖｉｃｅ  ｐｅｒｉｏｄ）リソース割当情報を受信する。
【００７８】
そして、目的地装置１４０は、ステップＳ８１４において、リレイ装置１３０、１３１、１３２それぞれとビーム形成過程を行う。そして、目的地装置１４０は、ステップＳ８１６においてソース装置１１０とビーム形成過程を行う。
【００７９】
そして、目的地装置１４０は、ステップＳ８１８において、ソース装置１１０からチャネル測定要求メッセージを受信すると、ステップＳ８２０において、リレイ装置１３０、１３１、１３２とのチャネル状態情報を含むチャネル測定報告メッセージをソース装置１１０に送信する。
【００８０】
そして、目的地装置１４０は、ステップＳ８２２において、ソース装置１１０によってリレイリンクに選択されたリレイ装置１３０からリレイリンク設定要求メッセージを受信すると、ステップＳ８２４において、目的地装置１４０がリレイリンクに参加するか否かを含んでいるリレイリンク設定応答メッセージを選択されたリレイ装置１３０に送信する。
【００８１】
図９は、本発明の実施形態に係る無線近距離通信網システムのソース装置でリレイの動作モードが協力モードである場合、送信時点を設定する過程を示すフローチャートである。
【００８２】
図９を参照すれば、ソース装置１１０は、ステップＳ９１０においてリレイの動作モードが協力モードとして決定されれば、ステップＳ９１２において動作モードが協力モードであることを通知する動作モード通知メッセージを選択されたリレイ装置１３０と目的地装置１４０に送信する。
【００８３】
その後、ソース装置１１０は、ステップＳ９１４において目的地装置１４０から第１測定要求メッセージを受信すると、ステップＳ９１６において予め設定された時間に第１測定応答メッセージを送信する。
【００８４】
そして、ソース装置１１０は、ステップＳ９１８において目的地装置１４０から測定結果メッセージを受信すると、ステップＳ９２０において測定結果メッセージに含まれた装置間のタイミングオフセットとサンプリングオフセットを確認する。測定結果メッセージに含まれた装置間のタイミングオフセットとサンプリングオフセットは、ソース装置１１０と目的地装置１４０との間のタイミングオフセットとサンプリングオフセットであるか、または目的地装置１４０で選択されたリレイ装置１３０と目的地装置１４０との間のタイミングオフセットとサンプリングオフセットであってもよい。
【００８５】
そして、ソース装置１１０は、ステップＳ９２２において、測定結果メッセージを受信したことを通知する測定結果応答メッセージを目的地装置１４０に送信する。
【００８６】
そして、ソース装置１１０は、ステップＳ９２４において、選択されたリレイ装置１３０に測定要求メッセージを送信する。そして、ソース装置１１０は、ステップＳ９２６において選択されたリレイ装置１３０から測定応答メッセージを受信すると、ステップＳ９２８においてソース装置１１０と選択されたリレイ装置１３０との間のタイミングオフセットとサンプリングオフセットを推定する。
【００８７】
そして、ソース装置１１０は、ステップＳ９３０において、各装置間のタイミングオフセットとサンプリングオフセットを用いて同一のフレームが同時に目的地装置１４０に到達するよう、フレームを送信する送信時点を調節する。
【００８８】
図１０は、本発明の実施形態に係る無線近距離通信網システムのリレイ装置でリレイの動作モードが協力モードである場合、送信時点を設定するための過程を示すフローチャートである。
【００８９】
図１０を参照すると、リレイ装置１３０は、ステップＳ１０１０において、ソース装置１１０から動作モードが協力モードであることを通知する動作モード通知メッセージを受信すると、リレイ装置１３０が協力モードで動作するための次の手続を開始する。
【００９０】
その後、リレイ装置１３０は、ステップＳ１０１２において目的地装置１４０から測定要求メッセージを受信すると、ステップＳ１０１４において測定要求メッセージに含まれた予め設定された時間に測定応答メッセージを目的地装置１４０に送信する。
【００９１】
そして、リレイ装置１３０は、ステップＳ１０１６において目的地装置１４０から測定結果メッセージを受信すると、ステップＳ１０１８において目的地装置１４０とリレイ装置１３０との間のタイミングオフセットとサンプリングオフセット、または、目的地装置とリレイ装置間と目的地装置とソース装置との間のタイミングオフセットとサンプリングオフセットの差の情報を確認する。
【００９２】
そして、リレイ装置１３０は、ステップＳ１０２０において、測定結果メッセージを受信したことを通知する測定結果応答メッセージを目的地装置１４０に送信する。
【００９３】
そして、リレイ装置１３０は、ステップＳ１０２２においてソース装置１１０から測定要求メッセージを受信すると、ステップＳ１０２４において測定要求メッセージに含まれた予め設定された時間に測定応答メッセージをソース装置１１０に送信する。
【００９４】
その後、リレイ装置１３０は、協力モードに動作し、ソース装置１１０から受信するデータフレームを目的地装置１４０に中継する。
【００９５】
図１１は、本発明の実施形態に係る無線近距離通信網システムのソース装置でリレイの動作モードが協力モードである場合、送信時点を設定する過程を示すフローチャートである。
【００９６】
図１１を参照すれば、目的地装置１４０は、ステップＳ１１１０において、ソース装置１１０からリレイの動作モードが協力モードであることを示す動作モード通知メッセージを受信すると、ステップＳ１１１２において、測定要求メッセージを選択されたリレイ装置１３０とソース装置１１０に送信する。
【００９７】
そして、目的地装置１４０は、ステップＳ１１１０においてソース装置１１０と目的地装置１４０それぞれから測定応答メッセージを受信すると、ステップＳ１１１６において受信した測定応答メッセージを用いてソース装置１１０と目的地装置１４０との間のタイミングオフセットとサンプリングオフセットを推定したり、または選択されたリレイ装置１３０と目的地装置１４０との間のタイミングオフセットとサンプリングオフセットを推定する。
【００９８】
そして、目的地装置１４０は、ステップＳ１１１８において、測定した装置間のタイミングオフセットとサンプリングオフセットを含む測定結果メッセージを選択されたリレイ装置１３０とソース装置１１０に送信する。
【００９９】
そして、目的地装置１４０は、ステップＳ１１２０において、選択されたリレイ装置１３０とソース装置１１０から測定結果メッセージを受信したこと通知する測定結果応答メッセージを受信すれば、ステップＳ１１２２において協力モードにデータフレームを受信する。
【０１００】
以下、上記のように手続によってリレイリンクを設定する無線近距離通信網システムの各装置の構成を下記で図面を参照しながら説明する。
【０１０１】
図１２は、本発明の実施形態に係る無線近距離通信網システムでリレイを用いてデータを送信するソース装置の構成を示す図である。
【０１０２】
図１２を参照すれば、ソース装置１１０は、制御部１２１０、通信部１２２０、リレイ検索処理部１２１２、リレイ選択部１２１４、リレイリンク設定部１２１６、及び協力モード処理部１２１８を備える。
【０１０３】
通信部１２２０は、近距離通信によってデータを送受信する装置であり、ＰＣＰ／ＡＰ１２０、リレイ装置及び目的地装置１４０との近距離通信を提供する。
【０１０４】
リレイ検索処理部１２１２は、ＰＣＰ／ＡＰ１２０によってサービス可能なリレイ装置が検索される。
【０１０５】
リレイ選択部１２１４は、ソース装置１１０とリレイ装置との間のチャネル状態、ソース装置１１０と目的地装置１４０との間のチャネル状態、リレイ装置と目的地装置１４０との間のチャネル状態を確認する。そして、リレイ選択部１２１４は、各装置間のチャネル状態情報とリレイ装置１３０、１３１、１３２それぞれのリレイ性能情報を用いて使用するリレイ装置を選択する。
【０１０６】
リレイリンク設定部１２１６は、選択されたリレイ装置１３０と目的地装置１４０に選択されたリレイ装置１３０を通したリレイリンクの参加有無を要求してその応答を受信しリレイリンクを設定する。
【０１０７】
協力モード処理部１２１８は、リレイの動作モードが協力モードとして決定されれば、同一のフレームが同時に目的地装置に到達するようフレームを送信する送信時点を調節する。より詳細な送信時点の調節手続については上述する図９を参照する。
【０１０８】
制御部１２１０は、ソース装置１１０の全般的な動作を制御する。そして、制御部１２１０は、リレイ検索処理部１２１２、リレイ選択部１２１４、リレイリンク設定部１２１６及び協力モード処理部１２１８の機能を行う。制御部１２１０、リレイ検索処理部１２１２、リレイ選択部１２１４、リレイリンク設定部１２１６及び協力モード処理部１２１８を区分して示すことは各機能を区別して説明するためである。したがって、制御部１２１０は、リレイ検索処理部１２１２、リレイ選択部１２１４、リレイリンク設定部１２１６及び協力モード処理部１２１８それぞれの機能を行うように構成された少なくとも１つのプロセッサを含んでもよい。また、制御部１２１０は、リレイ検索処理部１２１２、リレイ選択部１２１４、リレイリンク設定部１２１６及び協力モード処理部１２１８それぞれの機能の一部を行うように構成された少なくとも１つのプロセッサを含んでもよい。
【０１０９】
図１３は、本発明の実施形態に係る無線近距離通信網システムでソース装置と目的地装置間のデータを中継するリレイ装置の構成を示す図である。
【０１１０】
図１３を参照すれば、リレイ装置１３０は、制御部１３１０、通信部１３２０、チャネル状態測定部１２１４、リレイリンク設定部１３１６及び協力モード処理部１３１８を備える。
【０１１１】
通信部１３２０は、近距離通信によってデータを送受信する装置であり、ソース装置１１０、ＰＣＰ／ＡＰ１２０及び目的地装置１４０との近距離通信を提供する。
【０１１２】
チャネル状態測定部１３１４は、ソース装置１１０と目的地装置１４０それぞれとビーム形成過程を行い、ソース装置１１０からチャネル測定要求メッセージを受信すると、ソース装置１１０とのチャネル状態情報を含むチャネル測定報告メッセージをソース装置１１０に送信する。
【０１１３】
リレイリンク設定部１３１６は、ソース装置１１０からリレイリンク設定要求メッセージを受信すると、リレイリンク設定要求メッセージを目的地装置１４０に送信する。そして、リレイリンク設定部１３１６は、目的地装置１４０からリレイリンク設定応答メッセージを受信すると、リレイリンク設定応答メッセージにリレイ装置１３０の参加有無を含んでソース装置１１０に送信する。
【０１１４】
協力モード処理部１３１８は、リレイの動作モードが協力モードに決定されれば、同一のフレームが同時に目的地装置に到達するようにフレームが送信されるための送信時点を調節するための手続が行われる。より詳細な送信時点の調節手続については上述した図１０を参照する。
【０１１５】
制御部１３１０は、リレイ装置１３０の全般的な動作を制御する。そして、制御部１３１０は、チャネル状態測定部１３１４、リレイリンク設定部１３１６及び協力モード処理部１３１８の機能を行う。制御部１３１０、チャネル状態測定部１３１４、リレイリンク設定部１３１６及び協力モード処理部１３１８を区分して示すことは各機能を区別して説明するためである。したがって、制御部１３１０は、チャネル状態測定部１３１４、リレイリンク設定部１３１６及び協力モード処理部１３１８それぞれの機能を行うように構成された少なくとも１つのプロセッサを含んでもよい。また、制御部１３１０は、チャネル状態測定部１３１４、リレイリンク設定部１３１６及び協力モード処理部１３１８それぞれの機能の一部を行うように構成された少なくとも１つのプロセッサを含んでもよい。
【０１１６】
図１４は、本発明の実施形態に係る無線近距離通信網システムでリレイを用いてデータを受信する目的地装置の構成を示す図である。
【０１１７】
図１４を参照すれば、目的地装置１４０は、制御部１４１０、通信部１４２０、チャネル状態測定部１２１４、リレイリンク設定部１４１６及び協力モード処理部１４１８を備える。
【０１１８】
通信部１４２０は近距離通信によってデータを送受信する装置であり、ソース装置１１０、ＰＣＰ／ＡＰ１２０及びリレイ装置１３０との近距離通信を提供する。
【０１１９】
チャネル状態測定部１４１４は、ソース装置１１０とリレイ装置１３０、１３１、１３２それぞれとビーム形成過程を行う。そして、チャネル状態測定部１４１４は、ソース装置１１０からチャネル測定要求メッセージを受信すると、リレイ装置１３０、１３１、１３２とのチャネル状態情報を含むチャネル測定報告メッセージをソース装置１１０に送信する。
【０１２０】
リレイリンク設定部１４１６は、ソース装置１１０によってリレイリンクに選択されたリレイ装置１３０からリレイリンク設定要求メッセージを受信すれば、目的地装置１４０がリレイリンクに参加するか否かを含むリレイリンク設定応答メッセージを選択されたリレイ装置１３０に送信する。
【０１２１】
協力モード処理部１４１８は、リレイの動作モードが協力モードに決定されれば、ソース装置１１０とリレイ装置１３０によって受信される同一のフレームが同時に目的地装置に到達するよう、ソース装置１１０でフレームを送信する送信時点を調節するための手続を行う。より詳細な送信時点の調節手続は、上述した図１１を参照する。
【０１２２】
制御部１４１０は、目的地装置１４０の全般的な動作を制御する。そして、制御部１４１０は、チャネル状態測定部１４１４、リレイリンク設定部１４１６及び協力モード処理部１４１８の機能を行う。制御部１４１０、チャネル状態測定部１４１４、リレイリンク設定部１４１６及び協力モード処理部１４１８を区分して示すことは各機能を区別して説明するためである。したがって、制御部１４１０は、チャネル状態測定部１４１４、リレイリンク設定部１４１６及び協力モード処理部１４１８それぞれの機能を行うように構成された少なくとも１つのプロセッサを含んでもよい。また、制御部１４１０は、チャネル状態測定部１４１４、リレイリンク設定部１４１６及び協力モード処理部１４１８それぞれの機能の一部を行うように構成された少なくとも１つのプロセッサを含んでもよい。
【０１２３】
一方、本発明の実施形態に係るリルレイン機能をサポートするための数個のアクションフレームフォーマットが定義され得る。アクションフレームフォーマットのアクションを区分するためのアクションフィールド値（ａｃｔｉｏｎ  ｆｉｅｌｄ  ｖａｌｕｅ）は表１のように定義される。
【表１】
0005628344.tif 000002
【０１２４】
表１において、ＲＬＳ（Ｒｅｌａｙ  ｌｉｎｋ  ｓｅｔｕｐ）ｒｅｑｕｅｓｔは表２のように構成される。
【表２】
0005628344.tif 000003
【０１２５】
また、前記表１において、ＲＬＳ  ｒｅｓｐｏｎｓｅは表３のように構成される。
【表３】
0005628344.tif 000004
【０１２６】
また、前記表１において、ＴＰＡ  ｒｅｑｕｅｓｔは表４のように構成される。
【表４】
0005628344.tif 000005
【０１２７】
前記表１において、ＴＰＡ  ｒｅｓｐｏｎｓｅは表５のように構成される。
【表５】
0005628344.tif 000006
【０１２８】
本発明の実施形態に係る方法は、多様なコンピュータ手段によって実行可能なプログラム命令形態で具現され、コンピュータ読み取り可能な媒体に記録されることができる。前記コンピュータ読み取り可能な媒体は、プログラム命令、データファイル、データ構造などを単独または組み合わせて含むことができる。前記媒体に記録されるプログラム命令は、本発明のために特別に設計されて構成されたものであったあり、コンピュータソフトウェア当業者に公示されて使用可能なものであったりする。
【０１２９】
上述したように、本発明は、限定された実施形態と図面によって説明されたが、本発明が上述した実施形態に限定されることはなく、本発明が属する分野において通常の知識を有する者であれば、このような記載から多様な修正および変形が可能である。
【０１３０】
したがって、本発明の範囲は、説明された実施形態に限定されて決定されてはならず、添付する特許請求の範囲だけではなく、この特許請求の範囲と均等なものなどによって定められなければならない。
【図１】
0005628344.tif 000007
【図２】
0005628344.tif 000008
【図３】
0005628344.tif 000009
【図４】
0005628344.tif 000010
【図５】
0005628344.tif 000011
【図６】
0005628344.tif 000012
【図７】
0005628344.tif 000013
【図８】
0005628344.tif 000014
【図９】
0005628344.tif 000015
【図１０】
0005628344.tif 000016
【図１１】
0005628344.tif 000017
【図１２】
0005628344.tif 000018
【図１３】
0005628344.tif 000019
【図１４】
0005628344.tif 000020